(57)【要約】【課題】  共振周波数を高くすることができるアクチュエータを提供することを目的とする。【解決手段】  アクチュエータ１は、アクチュエータ用コム２０と、アクチュエータ用コム２０に外周面３１の一部が接着されるコイル３０と、コイル３０の外周面３１の他の部分の少なくとも一部と接着され、コイル３０を補強する外部支持部材６１と、コイル３０の内周面３２の少なくとも一部と接着され、コイル３０を補強する内部支持部材６２と、外部支持部材６１から内部支持部材６２に渡って配置されるブリッジ部材６３と、を備え、内部支持部材６２と、外部支持部材６１と、ブリッジ部材６３とが、一体とされていることを特徴とする。【選択図】    図２
2011222095.tif 000002
【特許請求の範囲】
【請求項１】
アクチュエータ用コムと、
前記アクチュエータ用コムに外周面の一部が接着されるコイルと、
前記コイルの前記外周面の他の部分の少なくとも一部と接着され、前記コイルを補強する外部支持部材と、
前記コイルの内周面の少なくとも一部と接着され、前記コイルを補強する内部支持部材と、
前記外部支持部材から前記内部支持部材に渡って配置されるブリッジ部材と、
を備え、
前記内部支持部材と、前記外部支持部材と、前記ブリッジ部材とが、一体とされていることを特徴とするアクチュエータ。
【請求項２】
前記外部支持部材と、前記内部支持部材と、前記ブリッジ部材とが、一体成型されていることを特徴とする請求項１に記載のアクチュエータ。
【請求項３】
前記コイルは、前記外部支持部材及び前記内部支持部材により、前記外周面と前記内周面とが挟まれており、
前記外部支持部材、及び、前記内部支持部材は、少なくとも前記コイルが挟まれた部分において、前記コイルと接着されることを特徴とする請求項１または２に記載のアクチュエータ。
【請求項４】
前記外部支持部材は、更に前記アクチュエータ用コムに接着されることを特徴とする請求項１〜３のいずれか１項に記載のアクチュエータ。
【請求項５】
前記ブリッジ部材が、前記コイルに接着されることを特徴とする請求項１〜４のいずれか１項に記載のアクチュエータ。
【発明の詳細な説明】
【技術分野】
【０００１】
本発明は、アクチュエータに関し、特に、共振周波数を高くすることができるアクチュエータに関する。
【背景技術】
【０００２】
ハードディスクドライブにおけるアクチュエータは、ピポットホールが形成されるコム（アクチュエータアームとも言う）と、コムの一方の端部にサスペンションを介して搭載される磁気ヘッドと、コムの他方側に設けられるボイスコイルモータとを主な構成としている。ボイスコイルモータのコイルは、コムの他方側に固定される。
【０００３】
そして、ハードディスクの動作時においては、ボイスコイルモータの動作により、コムに固定されたコイルが移動することで、コムのピポットホールの中心を軸としてコムが揺動する。こうして、コムに搭載された磁気ヘッドが磁気記録媒体の所望の位置に移動され、移動した磁気ヘッドにより磁気記録媒体に記録される情報を記録／再生する。
【０００４】
ところで、近年、ハードディスクドライブ装置による情報の高速な記録／再生きを行うために、アクチュエータの高性能化が求められており、このアクチュエータの高性能化の一つとしてアクチュエータが高速で揺動することが求められている。そして、アクチュエータを高速で揺動させるためには、アクチュエータの共振周波数が高い方が良いということが知られている。
【０００５】
下記特許文献１には、このようなアクチュエータが記載されている。このアクチュエータにおいては、コムに形成されている一組のコイル保持アームにコイルが挟まれるように配置され、コイルの外周面が接着されることで、コイルがコムに固定されている。そして、コイルの内側には、内部支持部材が配置されて、この内部支持部材とコイルの内周面とが接着されている。このような内部支持部材がコイルの内周側からコイルを補強することで、全体の剛性を向上させて、アクチュエータの共振周波数を高くしている。
【先行技術文献】
【特許文献】
【０００６】
【特許文献１】特開２００１−３５０９８号公報
【発明の概要】
【発明が解決しようとする課題】
【０００７】
しかし、近年のハードディスクドライブの性能の向上により、上記特許文献１に記載のアクチュエータにおいても更に高い共振周波数が求められている。
【０００８】
そこで、本発明は、共振周波数を高くすることができるアクチュエータを提供することを目的とする。
【課題を解決するための手段】
【０００９】
本発明のアクチュエータは、アクチュエータ用コムと、前記アクチュエータ用コムに外周面の一部が接着されるコイルと、前記コイルの前記外周面の他の部分の少なくとも一部と接着され、前記コイルを補強する外部支持部材と、前記コイルの内周面の少なくとも一部と接着され、前記コイルを補強する内部支持部材と、前記外部支持部材から前記内部支持部材に渡って配置されるブリッジ部材と、を備え、前記内部支持部材と、前記外部支持部材と、前記ブリッジ部材とが、一体とされていることを特徴とするものである。
【００１０】
このようなアクチュエータによれば、コイルに接着された外部支持部材及び内部支持部材より、コイルが補強される。そして、外部支持部材及び内部支持部材が、ブリッジ部材を介して、一体とされることで、外部支持部材と内部支持部材とが互いに補強し合う。こうしてアクチュエータ用コムに接着されるコイル、及び、コイルを補強する部材が補強されることで、全体の剛性が向上し、共振周波数を高くすることができる。
【００１１】
また、上記アクチュエータにおいて、前記外部支持部材と、前記内部支持部材と、前記ブリッジ部材とが、一体成型されていることが好ましい。
【００１２】
このようなアクチュエータによれば、外部支持部材と、内部支持部材と、ブリッジ部材とが一体成型されているため、これらを一体にするための接着剤等が不要になるため、より剛性を向上させることができると共に、重量を軽くすることができるので、より共振周波数を高くすることができる。また、外部支持部材と、内部支持部材と、ブリッジ部材とを個別に準備して、一体にする作業が必要ないためアクチュエータの製造が容易になる。
【００１３】
また、上記アクチュエータにおいて、前記コイルは、前記外部支持部材及び前記内部支持部材により、前記外周面と前記内周面とが挟まれており、前記外部支持部材、及び、前記内部支持部材は、少なくとも前記コイルが挟まれた部分において、前記コイルと接着されることが好ましい。
【００１４】
このようなアクチュエータによれば、コイルの外部支持部材及び内部支持部材により挟まれた部分において、外部支持部材及び内部支持部材とコイルとが接着されることで、コイルが外部支持部材及び内部支持部材に対して、より強固に固定されて、より剛性を向上させることができるので、より共振周波数を高くすることができる。
【００１５】
また、上記アクチュエータにおいて、前記外部支持部材は、更に前記アクチュエータ用コムに接着されることが好ましい。
【００１６】
このようなアクチュエータによれば、外部支持部材がアクチュエータ用コムにより補強されるので、外部支持部材とアクチュエータ用コムとの剛性をより向上させることができ、より共振周波数を高くすることができる。
【００１７】
また、上記アクチュエータにおいて、前記ブリッジ部材が、前記コイルに接着されることが好ましい。
【００１８】
このようなアクチュエータによれば、ブリッジ部材がコイルを補強するため、ブリッジ部材とコイルとの剛性を向上させることができるので、より共振周波数を高くすることができる。
【発明の効果】
【００１９】
以上のように本発明によれば、共振周波数を高くすることができるアクチュエータが提供される。
【図面の簡単な説明】
【００２０】
【図１】本発明の実施形態に係るアクチュエータを示す平面図である。
【図２】図１のコイルがコイル保持部に固定されている様子を示す拡大図である。
【図３】図２のIII−III線における断面の様子を示す図である。
【発明を実施するための形態】
【００２１】
以下、本発明に係るアクチュエータの好適な実施形態について図面を参照しながら詳細に説明する。
【００２２】
図１は、本発明に係るハードディスク用のアクチュエータを示す平面図である。
【００２３】
図１に示すように、本実施形態のアクチュエータ１は、アクチュエータ用コム２０（以下、コム２０と称す。）と、コム２０の一方側にサスペンション１１を介して搭載される磁気ヘッド１０と、コム２０の他方側に固定されるコイル３０と、コイル３０を支持するコイル支持部材（stiffener）６０と、互いに対向してコイル３０を挟む一対の磁石５０とを主な構成として備える。なお、図１においては、理解の容易のため一対の磁石５０のうち一方のみを図示している。
【００２４】
コム２０は、軸受部２１と、軸受部２１の一方側の側面に接続されているヘッド保持アーム２２と、軸受部２１の他方側の側面に接続されているコイル保持部２３とを備える。
【００２５】
軸受部２１は、肉厚な部材から構成されている。そして、略中心において、厚さ方向に沿って貫通しているピポットホール２５が形成されている。
【００２６】
軸受部２１の一方側の側面に接続されているヘッド保持アーム２２は、軸受部２１よりも薄いアーム状の形状をした板材から構成されており、軸受部２１の側面からピポットホール２５の中心軸に垂直な方向に沿って延在している。
【００２７】
このヘッド保持アーム２２の先端部には、サスペンション１１が接続されている。サスペンション１１は、ヘッド保持アーム２２よりも更に薄い板材から構成されている。そして、サスペンション１１の先端部には、記録用ヘッド及び再生用ヘッドが一体化された磁気ヘッド１０が搭載されている。
【００２８】
なお、軸受部２１には、厚さ方向に重なる様に複数のヘッド保持アーム２２が接続されていても良い。その場合は、それぞれのヘッド保持アーム２２の先端部にサスペンション１１を介して磁気ヘッド１０が搭載される。
【００２９】
一方、軸受部２１の他方側の側面に接続されているコイル保持部２３は、軸受部２１よりも薄い互いに平行な一対の面を有する板材から構成されている。そして、コイル保持部２３は、互いに所定の間隔を空けて、ピポットホール２５の中心軸に垂直な方向に沿って延在している一対のコイル保持アーム２４、２４を有している。これら一対のコイル保持アーム２４、２４は互いに対称な形状とされ、一対のコイル保持アーム２４、２４の中間を結ぶ線は、ヘッド保持アーム２２が延在する方向と反対側に延びる線となる。
【００３０】
そして、コイル保持部２３には、コイル３０が固定されている。このコイル３０は、銅等から成る導電性の線材が、整列巻された、空芯コイルとされている。さらにコイル３０は、このように整列巻された状態が維持されるように、図示しない樹脂により固められている。このコイル３０の厚さは、コイル保持部２３と略同じ厚さとされている。
【００３１】
なお、コム２０を構成する軸受部２１及びヘッド保持アーム２２及びコイル保持部２３は、それぞれアルミ合金から構成されることが、コム２０のヤング率を高くしつつ、重量を軽くすることができる観点から好ましい。このようにコム２０のヤング率を高くしつつ、重量を軽くすることにより、コム２０を用いたアクチュエータ１の共振周波数を高くすることができる。
【００３２】
また、コム２０においては、軸受部２１とヘッド保持アーム２２とコイル保持部２３とが別々の部材から構成され、軸受部２１にヘッド保持アーム２２及びコイル保持部２３が接続されていても良く、軸受部２１及びヘッド保持アーム２２及びコイル保持部２３の２つ以上の部材が一体成型されていても良い。
【００３３】
次に、このようにコイル３０がコイル保持部２３に固定されている様子について説明する。図２は、図１のコイル３０がコイル保持部２３に固定されている様子を示す拡大図であり、図３は、図２のIII−III線における断面の様子を示す図である。図２、図３に示すように、コイル３０は、コイル外周面３１及びコイル内周面３２を有している。そして、コイル３０は、コイル保持部２３に形成されている一対のコイル保持アーム２４、２４によって、コイル外周面３１が挟み込まれるように配置されており、コイル保持部２３のコイル対向面２６とコイル外周面３１の一部とが接着剤４０により固定されている。
【００３４】
また、コイル３０には、コイル支持部材６０が接着剤４０により固定されている。このコイル支持部材６０は、一体成型により一体とされている外部支持部材６１と、内部支持部材６２と、ブリッジ部材６３とから構成されている。
【００３５】
外部支持部材６１は、コイル外周面３１におけるコイル保持部２３と接着されていない部分に沿って、一方のコイル保持アーム２４から他方のコイル保持アーム２４にかけて、延在しており、略バー状の形状をしている。また、外部支持部材６１は、コイル外周面３１におけるコイル保持部２３と接着されていない部分と対向するコイル対向面６１ａと、それぞれのコイル保持アーム２４と対向する一対のアーム対向面６１ｂ、６１ｂとを有している。そして、コイル外周面３１におけるコイル保持部２３と接着されていない部分と、外部支持部材６１のコイル対向面６１ａとが接着剤４０により接着されて、コイル３０は補強されている。さらに、一対のコイル保持アーム２４、２４と、それぞれのコイル保持アーム２４に対向する一対のアーム対向面６１ｂ、６１ｂとが、接着剤４０により接着されている。
【００３６】
内部支持部材６２は、略板状の形状をしており、軽量化を目的とした開口６５が形成されている。また、内部支持部材６２は、外周面全体がコイル内周面３２と対向しており、コイル対向面６２ａとされている。そして、コイル内周面３２とコイル対向面６２ａとが接着剤４０により接着されて、コイル３０は補強されている。
【００３７】
ブリッジ部材６３は、薄い板状の形状をしており、コイル３０の一部を横断して、外部支持部材６１から内部支持部材６２に渡って配置され、一方の面の一部が外部支持部材６１に接続されており、一方の面の他の一部が内部支持部材６２に接続されている。また、図３に示すように、ブリッジ部材の一方の面の更に他の一部は、コイル３０と対向しており、コイル対向面６３ａとされている。そして、コイル対向面６３ａとコイル３０とが接着剤４０により接着されている。
【００３８】
なお、上述のように内部支持部材６２の外周面全体がコイル対向面６２ａとされて、コイル内周面３２と接着されることにより、コイル３０は、外部支持部材６１及び内部支持部材６２により、コイル外周面３１とコイル内周面３２とが挟まれて、コイル３０が挟まれた部分が、外部支持部材６１及び内部支持部材６２に接着されている。
【００３９】
そして、図１に示すようにコイル保持部２３に固定されたコイル３０は、一対の磁石５０の間において、コイル３０の空芯が、それぞれの磁石５０のコイル側の表面に垂直になるように配置されている。こうして、コイル３０と一対の磁石５０とでボイスコイルモータ（ＶＣＭ）が構成されている。
【００４０】
以上説明したように、本実施形態におけるアクチュエータ１によれば、コイル３０に接着された外部支持部材６１及び内部支持部材６２より、コイル３０が補強される。そして、外部支持部材６１及び内部支持部材６２が、ブリッジ部材６３を介して、一体とされることで、外部支持部材６１と内部支持部材６２とが互いに補強し合う。こうしてアクチュエータ用コム２０に接着されるコイル３０、及び、コイル３０を補強するコイル支持部材６０が補強されることで、全体の剛性が向上し、共振周波数を高くすることができる。
【００４１】
また、外部支持部材６１と、内部支持部材６２と、ブリッジ部材６３とが、一体成型されているため、外部支持部材６１と、内部支持部材６２と、ブリッジ部材６３とを一体にするための接着剤等が不要になる。従って、アクチュエータ全体として、剛性を向上させることができると共に、重量を軽くすることができる。また、外部支持部材６１と、内部支持部材６２と、ブリッジ部材６３とを個別に準備して、一体にする作業が必要ないためアクチュエータ１の製造が容易である。
【００４２】
また、コイル３０は、外部支持部材６１及び内部支持部材６２により、コイル外周面３１とコイル内周面３２とが挟まれており、コイル３０は、外部支持部材６１、及び、内部支持部材６２により挟まれた部分が少なくとも接着されているため、コイル３０が外部支持部材６１及び内部支持部材６２に対して、強固に固定されており、より剛性を向上させることができる。
【００４３】
また、外部支持部材６１は、コイル外周面３１に加えて、アクチュエータ用コム２０のコイル保持アーム２４と接着されているため、外部支持部材６１がアクチュエータ用コム２０により補強される。従って、外部支持部材６１とアクチュエータ用コム２０との剛性をより向上させることができる。
【００４４】
また、ブリッジ部材６３が、コイル３０に接着されているため、ブリッジ部材６３がコイルを更に補強する。従って、ブリッジ部材６３とコイル３０との剛性を向上させることができる。
【００４５】
なお、アクチュエータ１を製造する場合、まず、コイル３０及びコイル支持部材６０を準備する。そして、コイル外周面３１の一部と外部支持部材６１との接着、コイル内周面３２と内部支持部材６２との接着、及び、ブリッジ部材６３とコイル３０との接着を同時に行う。こうして、コイル３０とコイル支持部材６０とが互いに固定される。次に、コム２０を準備する。そして、一対のコイル保持アーム２４、２４によって、コイル外周面３１が挟み込まれて、コイル外周面３１とコイル対向面２６とが対向し、更に、一対のコイル保持アーム２４、２４と、外部支持部材６１の一対のアーム対向面６１ｂ、６１ｂとが対向するように、コイル支持部材６０が固定されたコイル３０及びコム２０を配置する。そして、外部支持部材６１と接着されていないコイル外周面３１と、コム２０のコイル対向面２６とを接着剤４０により接着するとともに、一対のコイル保持アーム２４、２４と、外部支持部材６１の一対のアーム対向面６１ｂ、６１ｂとを接着剤４０により接着する。こうして、図２に示すコイル３０が固定されたコム２０を得る。
【００４６】
次に、磁気ヘッド１０が固定されたサスペンション１１を準備して、準備したサスペンション１１をコム２０のヘッド保持アーム２２に接続する。サスペンション１１をヘッド保持アーム２２に接続するには、例えば、サスペンション１１とヘッド保持アーム２２とをスポット溶接すれば良い。
【００４７】
次に、コイル３０の両面側に図示しない固定具を用いて一対の磁石５０、５０を設置する。こうして図１に示すアクチュエータ１を得る。
【００４８】
以上、本発明のアクチュエータについて、実施形態を例に説明したが、本発明はこれらに限定されるものではない。
【００４９】
例えば、上記実施形態においては、外部支持部材６１は、コム２０のコイル保持アーム２４に接着されるものとしたが、外部支持部材６１は、必ずしもコム２０に接着される必要はない。
【００５０】
また、上記実施形態においては、内部支持部材６２は、外周面全体がコイル対向面６２ａとされて、外周面全体がコイル内周面３２に接着されるものとしたが、必ずしも外周面全体がコイル内周面３２に接着される必要はなく、例えば、コイル３０を補強する範囲において、内部支持部材６２の外周面の一部とコイル内周面３２の一部とが接着されても良い。
【００５１】
また、上記実施形態においては、外部支持部材６１と、内部支持部材６２と、ブリッジ部材６３とは、一体成型により一体とされているものとしたが、必ずしも一体成型により一体にされる必要はなく、接着等の他の手段により一体にされても良い。
【００５２】
また、上記実施形態においては、ブリッジ部材６３がコイル３０に接着されるものとしたが、ブリッジ部材６３は、必ずしもコイル３０に接着される必要はない。
【００５３】
また、コム２０を構成する各部材は、アルミ合金以外の材料から構成されても良く、例えば、チタンやマグネシウム合金から構成されても良い。
【００５４】
また、コム２０を構成する、軸受部２１は肉厚な材料から形成され、ヘッド保持アーム２２、及び、コイル保持部２３は、軸受部２１よりも薄い板材から構成されるとしたが、コム２０を構成する各部材は、互いに略同じ厚さの板材から構成されても良い。
【産業上の利用可能性】
【００５５】
本発明によれば、共振周波数を高くすることができるアクチュエータが提供される。
【符号の説明】
【００５６】
１・・・アクチュエータ
１０・・・磁気ヘッド
１１・・・サスペンション
２０・・・アクチュエータ用コム
２１・・・軸受部
２２・・・ヘッド保持アーム
２３・・・コイル保持部
２４・・・コイル保持アーム
２５・・・ピポットホール
２６・・・コイル対向面
３０・・・コイル
３１・・・コイル外周面
３２・・・コイル内周面
４０・・・接着剤
５０・・・磁石
６０・・・コイル支持部材
６１・・・外部支持部材
６２・・・内部支持部材
６３・・・ブリッジ部材
【図１】
2011222095.tif 000003
【図２】
2011222095.tif 000004
【図３】
2011222095.tif 000005